(57)【特許請求の範囲】
【請求項１】
光学フィルタの切り換えによるデイ／ナイト機能付きであり、撮像素子を光軸方向に移動可能なフランジバック調整機構を備える監視用テレビカメラ装置において、
前記テレビカメラ装置内の映像処理回路内に昼間撮影モードによるフランジバック移動量と夜間撮影モードによるフランジバック移動量とを記憶するメモリを備え、前記映像処理回路が、外部からの昼夜切換制御信号に基づいて、前記光学フィルタを昼間撮影モード又は夜間撮影モードの何れかに切り換えるとともに、該メモリに記憶した所定のフランジバック移動量によって、前記フランジバック調整機構を制御しフォーカス調整を行うものであって、
前記フランジバック調整機構が、手動調整用の調整リングの外周部に形成したギヤにステッピングモータのギヤを組み合わせ、前記映像処理回路からのフランジバック移動量の制御信号により、前記ステッピングモータを駆動し、
さらに、前記調整リング部材の内側にテーパ状の螺旋凸部を形成し、外周部に凸部を形成した撮像素子ホルダ部材を前記調整リング部材の内側に挿入して該凸部を前記螺旋凸部に係合させ、該調整リング部材の回転により前記螺旋凸部で前記凸部を押圧することによって、付勢された撮像素子ホルダ部材を光軸に沿って移動させて、フランジバック移動量を調整し、フォーカス調整を行うことにより構成されること
を特徴とする監視用テレビカメラ装置。
【請求項２】
前記映像処理回路内に前記撮像映像の明るさを検知する映像レベル判定手段を備え、該映像レベル判定手段にて検出した撮影映像の明るさのレベルに基づいて昼間撮影モード又は夜間撮影モードと判定するとともに、該判定結果の撮影モードに対応する前記メモリに記憶したフランジバック移動量に従って前記フランジバック調整機構を制御してフォーカス調整を行うことを特徴とする請求項１に記載の監視用テレビカメラ装置。
【発明の詳細な説明】
【技術分野】
【０００１】
本発明は、デイ／ナイト（Day/Night）機能付きの監視用テレビカメラ装置に関し、詳しくは光学フィルタの昼夜切り換え時等におけるフォーカスの調整をフランジバック機構により素早く補正するようにした監視用テレビカメラ装置に関する。
【背景技術】
【０００２】
従来、野外監視用等に使用する監視用テレビカメラ装置には、昼夜を問わず監視する目的でデイ／ナイト機能（昼夜撮影モード切り換え機能）が多く採用されている。デイ／ナイト機能について説明すると、監視用テレビカメラ装置には昼間撮影モードと夜間撮影モードによる撮影機能があり、昼間撮影モードは、日中十分な明るさがあるのでカラー画像を出力するモードであって、適切な色再現性を得るため、カメラレンズと撮像素子（ＣＣＤ又はＣＭＯＳセンサ）との間にＩＲ（Infrared rays：赤外線）カットフィルタを入れて撮影する撮影形態である。一方、夜間撮影モードでは、夜間照度が下がるため、光軸上のＩＲカットフィルタを外して近赤外線を撮像素子に取り入れて撮影感度を上げ、白黒画像を出力する撮影形態である。一般には光路長が変化しないようにＩＲカットフィルタの代わりにダミーガラスがカメラレンズと撮像素子との間の光軸に挿入される。
【０００３】
昼間と夜間では、光量の変化による被写界深度の変化や取り入れる光の周波数の変化によって、カメラレンズに色収差に起因するフォーカスのズレが生じることが知られている。そこで、ＡＦ（オートフォーカス）機能を利用して、昼間及び夜間撮影モードの切り換え動作に連動し撮像素子のフランジバック位置の調整を行ってカメラレンズの焦点を撮像素子の撮像面に合わせるようにしたテレビカメラ装置がある。この種のテレビカメラ装置の従来例について、図５（ａ），（ｂ）を参照して説明する。
【０００４】
図５（ａ）は、従来のＡＦ機能及び手動フォーカス調整可能な監視カメラ１のブロック図である。カメラ本体２には、ＣＣＤ等の撮像素子による光学部３、信号処理部４、及び光学部移動モータ５が備えられ、光学部３は被写体像を撮像信号に変換し、信号処理部４では、光学部３の撮像信号を信号処理し映像信号としてモニタに表示するとともに、カメラ本体２の全体を制御する。また、動作指示信号がコントローラから監視カメラ１に送られると、動作指示信号に基づいて監視カメラ１を制御してオートフォーカス動作を行い、その後、光学部移動モータ５が信号処理部４からの制御信号により、光学部３を光軸に沿って移動させてフランジバック移動量（撮像面の光軸方向の移動量）を調整し、フォーカスの調整が行われる。
【０００５】
また、カメラ本体２はカラー／白黒切換機構６及び切換モータ７を備え、カラー撮影モード（昼間撮影モード）と白黒撮影モード（夜間撮影モード）での切換動作を行う。カラー／白黒切換機構６は、昼間撮影モード用のＩＲカットフィルタと夜間撮影モード用のダミーガラスとを切り換える機構であり、外部からカラーと白黒の切換指示信号が入力されると、切換モータ７を駆動しカラー／白黒撮影モードが切り換えられる。                                           
【０００６】
図５（ｂ）はフランジバックの調整機構の説明図であり、同図において、カメラ筐体９の前面にはレンズ取付面９ａが設けられ、光学部３には撮像面３ｂを有する撮像素子３ａが備えられる。フランジバックＦＢは、カメラレンズ８が装着されるレンズ取付面９ａから撮像素子３ａの撮像面３ｂまでを指し、光学部３の撮像素子３ａは光学部移動モータ５により移動可能であって、フランジバック量を変化させることによってフォーカス調整が行われる（例えば、特許文献１参照）。
【先行技術文献】
【特許文献】
【０００７】
【特許文献１】特開２００６−１４８４２１号公報（第３頁，第４頁，図１，図２）
【発明の概要】
【発明が解決しようとする課題】
【０００８】
しかしながら、監視用テレビカメラ装置では、近年、高画素のメガピクセルカメラが使用されてきており、この種のテレビカメラ装置では被写界深度が浅く、ジャストピントの範囲が狭くなる傾向にある。監視用テレビカメラ装置では、昼夜を問わず終日撮影が行われ、その監視映像は鮮明なものが要求されるために、レンズ固有の色収差によるフォーカスのズレを考慮し、撮像素子の焦点位置を調整するフランジバック調整機能が必須機能になっており、しかも、焦点調整の素早さと精度の高さを維持しながら、しかもローコストで顧客に提供することが求められている。
【０００９】
上記従来例の監視用テレビカメラ装置では、周知のＡＦ機能を用いてフランジバック移動量を自動調整する手法が採用されているが、ＡＦ動作は、画面の焦点を徐々にボカし、一旦何も見えない状態とした後、焦点を合わせる手法で行われており、その結果、結像面位置付近を複数回往復させて焦点を調整しており、数秒間フォーカスが合わないピンボケの監視映像が出力されることになり、監視用テレビカメラ装置としては致命的になる可能性があって、改善の余地があった。
【００１０】
また、従来の監視用テレビカメラ装置では、その機器の構成上、ＡＦ機能を利用して焦点をフランジバック調整により自動調整しており、フランジバック調整機構の他に、フォーカス量を検出する回路と合焦位置を検出するソフトウェアが必要になり、ローコストが要求される監視用テレビカメラ装置では、周知のＡＦ機能を採用することはコスト的に困難な面があり、改善の余地があった。
【００１１】
本発明は、上記課題に鑑みてなされたものであって、デイ／ナイト機能付きの監視用テレビカメラ装置であって、光学フィルタの切り換え操作の際のフォーカスのズレをフランジバック調整により素早く補正することができ、しかも廉価な監視用テレビカメラ装置を提供することを目的とする。
【課題を解決するための手段】
【００１２】
本発明は、上記課題を達成したものであって、請求項１の発明は、光学フィルタの切り換えによるデイ／ナイト機能付きであり、撮像素子を光軸方向に移動可能なフランジバック調整機構を備える監視用テレビカメラ装置において、
前記テレビカメラ装置内の映像処理回路内に昼間撮影モードによるフランジバック移動量と夜間撮影モードによるフランジバック移動量とを記憶するメモリを備え、前記映像処理回路が、外部からの昼夜切換制御信号に基づいて、前記光学フィルタを昼間撮影モード又は夜間撮影モードの何れかに切り換えるとともに、該メモリに記憶した所定のフランジバック移動量によって、前記フランジバック調整機構を制御しフォーカス調整を行うものであって、
前記フランジバック調整機構が、手動調整用の調整リングの外周部に形成したギヤにステッピングモータのギヤを組み合わせ、前記映像処理回路からのフランジバック移動量の制御信号により、前記ステッピングモータを駆動し、
さらに、前記調整リング部材の内側にテーパ状の螺旋凸部を形成し、外周部に凸部を形成した撮像素子ホルダ部材を前記調整リング部材の内側に挿入して該凸部を前記螺旋凸部に係合させ、該調整リング部材の回転により前記螺旋凸部で前記凸部を押圧することによって、付勢された撮像素子ホルダ部材を光軸に沿って移動させて、フランジバック移動量を調整し、フォーカス調整を行うことにより構成されることを特徴とする監視用テレビカメラ装置である。
【００１３】
また、請求項２の発明は、前記映像処理回路内に前記撮像映像の明るさを検知する映像レベル判定手段を備え、該映像レベル判定手段にて検出した撮影映像の明るさのレベルに基づいて昼間撮影モード又は夜間撮影モードと判定するとともに、該判定結果の撮影モードに対応する前記メモリに記憶したフランジバック移動量に従って前記フランジバック調整機構を制御してフォーカス調整を行うことを特徴とする請求項１に記載の監視用テレビカメラ装置である。
【発明の効果】
【００１６】
請求項１の発明によれば、外部からの昼夜切換制御信号により昼間撮影モード又は夜間撮影モードの何れかに切り換えるとともに、メモリ（移動量記憶手段）から予め定められた情報であるフランジバック移動量を読み出して、このフランジバック移動量に基づき、フランジバック調整機構を動作させて素早くフォーカス調整をすることが可能であり、フランジバック移動量がメモリから読み出されることで、素早くジャストピントに調整できるし、撮影モード切り換え時に発生する画像のピンボケによる監視漏れを解消することができる。また、昼間であっても照度不足となる場合には夜間対応の光学フィルタの切り換え操作が自動的に行われ、メモリからのフランジバック移動量に基づいて、フランジバック調整機構を作動させてフォーカス調整が行われる。なお、フランジバック移動量には、撮像素子がカメラレンズの光軸方向に沿って前方又は後方への移動であるかを指示する情報が含まれており、撮像素子は光軸に沿って往復動作することなく、前方又は後方へと瞬時にフランジバック移動できる利点がある。
また、フランジバック調整機構が、手動調整用の調整リング部材の外周部に形成されたギヤにステッピングモータのギヤを組み合わせて構成されており、映像処理回路からのフランジバック移動量に基づく制御信号により、ステッピングモータを駆動し、手動調整可能な撮像素子ホルダ部材を制御してフランジバック調整し、前記撮像素子を素早く焦点合わせすることができる利点がある。
さらに、調整リング部材の内側にテーパ状の螺旋凸部が形成され、外周部に凸部を形成した撮像素子ホルダ部材を調整リング部材の内側に挿入し、その凸部が螺旋凸部に係合し、調整リング部材の回転によりその螺旋凸部で撮像素子ホルダ部材の凸部を押圧して、付勢された撮像素子ホルダ部材を光軸方向に沿って移動させ、撮像素子を回転させることなくカメラレンズの光軸に沿って移動させることができるし、調整リング部材は手動調整可能であり、従来のＡＦ機能で焦点合わせをする必要がなく、フランジバック調整によって撮像素子を素早く最適な焦点位置に合わせることができる利点がある。
【００１７】
また、請求項２の発明によれば、映像処理回路が撮像映像の明るさを検知する映像レベル判定手段を備えているため、撮影映像の明るさ（例えば、輝度レベル）を所定閾値で判定して昼間又は夜間撮影モードの何れかを判定し、昼間又は夜間撮影モードに切り換えるとともに、メモリ（移動量記憶手段）から読み出されるフランジバック移動量によってフランジバック調整機構を作動させて瞬時にフランジバック調整によるフォーカス調整ができる利点がある。また、映像レベル判定手段では昼間であっても照度が低下する場合は夜間と判定して夜間撮影モードに切り換えることができる。また、映像レベル判定手段による判定結果に基づいて、昼間又は夜間撮影モードに対応するフランジバック移動量に基づいてフランジバック調整機構を制御し、フランジバック調整によるフォーカス調整を行って素早い焦点合わせが可能であって、昼夜を問わずピンボケの監視映像が出力されるのを防止することができる。
【図面の簡単な説明】
【００２０】
【図１】本発明に係る監視用テレビカメラ装置の一実施例の概略を示すブロック図である。
【図２】本実施例におけるフランジバック移動の制御フローを示す図である。
【図３】本実施例におけるフランジバック調整機構の斜視図である。
【図４】図２のフランジバック調整機構の分解斜視図である。
【図５】（ａ）は従来の監視カメラ装置の一例を示すブロック図であり、（ｂ）はフランジバックを説明するための説明図である。
【発明を実施するための形態】
【実施例】
【００２１】
以下、本発明の監視用テレビカメラ装置の一実施例について図面を参照し説明する。先ず、図１を参照し、本実施例の監視用テレビカメラ装置を説明する。監視用テレビカメラ装置１０は、カメラ本体とカメラ本体に装着されるカメラレンズ１１とで構成され、カメラ本体内には映像処理回路１５が設けられ、カメラレンズ１１からの被写体光が入射するＩＲカットフィルタ／ダミーガラスを備えた光学フィルタ部１２と、光学フィルタ部１２を透過した被写体光を撮像するＣＣＤセンサやＣＭＯＳセンサ等の撮像素子１４とが設けられている。撮像素子１４で撮像した撮像信号は映像処理回路１５で信号処理されて映像信号として出力される。
【００２２】
光学フィルタ部１２には、従来例と同様にＩＲカットフィルタとダミーガラスとが用意され、これらの光学フィルタの特性を切り換えるための切換モータ１９が設けられ、昼間撮影モードではカメラレンズ１１と撮像素子１４間の光軸ＬにはＩＲカットフィルタが挿入され、夜間撮影モードではＩＲカットフィルタに切り換えてダミーガラスが挿入される。光学フィルタ部１２でのフィルタ切り換えにより、カメラレンズ１１の焦点位置が微妙に変化する。カメラレンズ１１の色収差や高画質のメガピクセルカメラでは焦点距離の変化を無視することができないので、撮像素子１４が固定位置であれば、撮像面の位置が一定であるので撮像画像にピンボケが生じるが、撮像素子１４の撮像面をフランジバック調整機構により焦点位置に合わせることによって、画像にピンボケが生じるのを防止する。なお、フランジバック調整機構の詳細は後述する。
【００２３】
撮像素子１４は、ステッピングモータ等の駆動モータ１３によって、フランジバック調整が可能に設けられ、駆動モータ１３を駆動することによって、撮像素子１４は、カメラレンズ１１の光軸Ｌに沿って前方又は後方に移動し、カメラレンズ１１の焦点のズレを補正することができる。また、撮像素子１４は後述の撮像素子ホルダ部材２３に保持される。
【００２４】
映像処理回路１５は、既存のＣＰＵ（中央処理装置）等で構成された信号処理回路であり、撮像信号を信号処理して映像信号として出力するとともに、カメラ本体の全体を制御している。また、映像処理回路１５には、このＣＰＵ内又は付加されたメモリ（移動量記憶手段）１８が設けられ、かつ撮像信号を信号処理する過程で映像信号のレベル（例えば、輝度レベル）から昼夜の判定結果を出力する映像レベル判定手段１７が設けられ、映像レベル判定手段１７は昼夜切換制御信号を出力する。また、映像レベル判定手段１７は昼間であっても照度不足の場合は夜間（夜間撮影モード）と判定し、昼夜切換制御信号を出力する。さらに、映像処理回路１５には、リモート制御部１６から昼間撮影モード（カラーモード）又は夜間撮影モード（白黒モード）に設定するための昼夜切換制御信号が入力される。
【００２５】
映像レベル判定手段１７は、映像処理回路１５における撮像映像を信号処理する過程で信号処理系から撮像映像の明るさのレベル情報（例えば、輝度データ）を取得し、この明るさのレベル情報と予め定めた所定の閾値と比較し、撮像映像の明るさのレベルが所定閾値より低いと判定された場合、夜間と判定し、また、撮像映像の明るさのレベルが所定閾値より高いと判定された場合、昼間と判定し、昼夜切換制御信号（昼間撮影モード又は夜間撮影モードに切り換えるための切換制御信号）を出力する。映像レベル判定手段１７は、明るさのレベルで昼夜を判定するので、昼間であっても夜間と判定される場合がある。
【００２６】
メモリ（移動量記憶手段）１８は、撮像素子１４による撮像画像にピンボケが生じない位置（ジャストピント位置）に撮像素子１４を設定するための記録情報としてフランジバック移動量が記憶される。フランジバック移動量は、昼間又は夜間撮影モードに対応してジャストピントとなる撮像素子１４の最適なフランジバック位置を設定するための値であり、昼間又は夜間撮影モードに対応したフランジバック移動量がコード化されてメモリ１８に記憶される。なお、夜間撮影モードは昼間の照度不足となる場合の撮像モードを含み、また、昼間撮影モードは夜間の照度が十分である場合の撮像モードを含む。
【００２７】
また、メモリ１８には、フランジバック移動量とともに撮像素子１４が光軸Ｌに沿った前方又は後方への移動であるかを指示するコード情報が記憶される。即ち、駆動モータ１３の回転方向をコード情報で指示することによって、撮像素子１４を光軸Ｌに沿って前方又は後方へと移動させることができる。
【００２８】
なお、メモリ１８に記憶されるフランジバック移動量はデータ量が少なく、映像処理回路１５に備えられた既存のメモリを利用することができるし、また、必要に応じてメモリを新たに追加しても良い。
【００２９】
本実施例の監視用テレビカメラ装置では、照度が十分である昼間は近赤外光をカットするＩＲカットフィルタを通して撮像しカラー画像とし、夜間撮影では照度が下がるので、ＩＲカットフィルタを外し近赤外光を取り入れて撮像し白黒画像とする。フランジバック位置は、昼間又は夜間撮影モードでは撮像素子のジャストピントとなる最適な位置が異なるので、メモリ１８に記憶される昼間又は夜間撮影モードに対応したフランジバック移動量に基づいて、撮像素子１４を最適な位置に調整する。
【００３０】
即ち、カメラレンズ１１は、照度が十分な昼間の撮影では可視光に対して色収差による結像面が変化しないが、夜間撮影では、近赤外光を取り入れて撮像しており、近赤外光と可視光とではカメラレンズの色収差の違いがあり、昼間撮影モードと夜間撮影モードとでは結像面にズレがあり、撮像素子１４の結像面を、昼間又は夜間撮影モードに対応するように、メモリ１８に記憶したフランジバック移動量に基づいてフランジバック調整し、ジャストピントとする。なお、可視光又は近赤外光に対する結像面の位置のズレは、カメラレンズ固有のものであり、カメラレンズ１１に応じてフランジバック移動量を設定する。
【００３１】
次に、映像処理回路１５によるフランジバック調整について図２を参照し説明する。映像処理回路１５のＣＰＵには撮像信号を処理する信号処理系を有するとともに、フランジバック制御手段を有する。このフランジバック制御手段は、図２の制御フローを実行する機能である。
【００３２】
先ず、フランジバック制御手段は、ステップＳ１にて、リモート制御部１６からの昼間又は夜間を指示する切換制御信号（昼夜切換制御信号）、又は映像レベル判定手段１７の判定結果による昼夜切換制御信号を待ち受ける。リモート制御部１６から昼夜切換制御信号が到来すると、ステップＳ２にて、昼間又は夜間に切り換えるための切換制御信号であるか否かを判定する。ステップＳ２にて昼間撮影モードであると判定された場合、ステップＳ３に進む。ステップＳ２は昼間又は夜間を判定して昼間又は夜間撮影モードを選択する手段である。
【００３３】
ステップＳ３では、昼間切換制御信号に基づいて切換モータ１９を作動させて光学フィルタ部１２のＩＲカットフィルタをカメラレンズ１１と撮像素子１４間の光軸Ｌに挿入し、ステップＳ４に進む。ステップＳ４では、メモリ（移動量記憶手段）１８の記憶情報（昼間に対応するフランジバック移動量）を読み出し、読み出したフランジバック移動量に基づいて、駆動モータ１３を作動させて撮像素子１４を光軸Ｌに沿って移動し、昼間撮影モードにおける焦点が合う最適なフランジバック位置に撮像素子１４を設定する。
【００３４】
また、ステップＳ２にて、夜間撮影モードであると判定された場合、ステップＳ５に進む。ステップＳ５では切換モータ１９を駆動してカメラレンズ１１と撮像素子１４と間の光軸ＬからＩＲカットフィルタを外し、ダミーガラスをこの光軸Ｌに挿入しステップＳ６に進む。ステップＳ６では、メモリ（移動量記憶手段）１８から読み出した記憶情報（夜間に対応するフランジバック移動量）に基づいて、駆動モータ１３を作動させて夜間撮影モードに最適なフランジバック位置に撮像素子１４を設定する。
【００３５】
一方、ステップＳ１にて、映像レベル判定手段１７の判定結果による昼間又は夜間切換制御信号が到来した場合、ステップＳ２に進む。ステップＳ２では、先のステップと同様に、その切換制御信号が昼間又夜間撮影モードの何れを選択するかを判定する。その後の処理は前に記載したステップと同様であるのでその詳細説明は省略する。なお、映像レベル判定手段１７の判定結果は、昼間であっても照度が所定閾値以下に低下した場合、夜間と判定し、光学フィルタ部１２をＩＲカットフィルタを外してダミーガラスに切り換えるとともに、撮像装素子１４のフランジバック位置を夜間撮影モードの最適な位置に設定する。
【００３６】
本実施例の監視用テレビカメラ装置では、このような制御フローによって、光学フィルタ部１２の光学フィルタを昼間撮影モード又は夜間撮影モードに対応したフィルタに切り換えるとともに、メモリ１８の記録情報（フランジバック移動量）に基づいて、撮像素子１４の撮像面をカメラレンズ１１の焦点位置に精確に素早く合わせるようにし、常にジャストピントに保ち監視映像の漏れが発生するのを防止する。
【００３７】
次に、本実施例におけるフランジバック調整機構について、図３，図４を参照し簡単に説明する。フランジバック調整機構２０は駆動モータ１３と撮像素子１４との構成部分であり、フロントパネル２１と、スプリング２２と、撮像素子１４が実装され、スプリング２２で付勢された撮像素子ホルダ部材２３と、手動操作可能な調整リング部材２４と、フランジバック基板２５とが設けられ、フランジバック基板２５にはギヤ１３ａを有する駆動モータ（ステッピングモータ）１３が固定され、フロントパネル２１とフランジバック基板２５との間に、スプリング２２、撮像素子ホルダ部材２３、調整リング部材２４が組み込まれている。調整リング部材２４の外周面にはギヤ２４ａが設けられ、このギヤ２４ａがステッピングモータの回転軸に設けたギヤ１３ａと歯合するように組み込まれ、駆動モータ１３の回転動作により調整リング部材２４が回転するように構成される。
【００３８】
また、調整リング部材２４の内周面側には、テーパ状の螺旋凸部２４ｂが形成される。撮像素子ホルダ部材２３にはその外周部に凸部２３ａが形成される。撮像素子１４を実装した撮像素子ホルダ部材２３は、調整リング部材２４の内側に挿入されて撮像素子ホルダ部材２３の凸部２３ａと螺旋凸部２４ｂとが係合している。調整リング部材２４が時計方向又は反時計方向に回転することによって、テーパ状の螺旋凸部２４ｂで撮像素子ホルダ部材２３の凸部２３ａが押圧されて、スプリング２２で付勢された撮像素子ホルダ部材２３が光軸Ｌに沿って前方又は後方に移動する。
【００３９】
一方、撮像素子ホルダ部材２３の外周部には、溝状レール２３ｂが１２０度の角度で３箇所設けられ、かつフロントパネル２１の内面側には３本のピン（図示なし）が突出し光軸Ｌに平行に設けられ、各ピンは溝状レール２３ｂに対応して配置されており、各ピンに溝状レール２３ｂが摺動可能に係合するように組み込まれ、調整リング部材２４が回転することによって、撮像素子ホルダ部材２３が光軸Ｌに沿って前方又は後方に移動する。撮像素子ホルダ部材２３は、各ピンで規制されて溝状レール２３ｂを摺動し、撮像素子１４は調整リング部材２４の回転に従動して回転することなく、調整リング部材２４の回転運動が直線運動に変換され、撮像素子１４は光軸Ｌに沿って前方又は後方に移動する。
【００４０】
駆動モータ１３は、映像処理回路１５からフランジバック移動量に基づく制御信号が入力されて駆動し調整リング部材２４を回転させ、調整リング部材２４の回転運動に応じて撮像素子ホルダ部材２３が光軸Ｌに沿って移動し、撮像素子１４がジャストピントとなるフランジバック位置に設定される。また、映像処理回路１５からは、昼間又は夜間撮影モードに切り換えるための切換制御信号が切換モータ１９に出力される。切換モータ１９が作動し光学フィルタ１２の光学フィルタは、昼間撮影モードの場合はＩＲカットフィルタに、又夜間撮影モードの場合はダミーガラスにそれぞれ切り換えられる。なお、駆動モータ１３と切換モータ１９の作動順番は実施例に限定するものではない。
【００４１】
また、調整リング部材２４は、フロントパネル２１とフランジバック基板２５との隙間にギヤ２４ａが臨むように配置されており、手動で調整リング部材２４を回転させることによって、フランジバック調整を手動で行うことができる。
【００４２】
上記のように、本実施例では、フランジバック調整機構の調整リング部材２４と駆動モータ１３とがギヤで組み合わされており、メモリ１８からのフランジバック移動量によって、駆動モータ１３を駆動し、撮像素子１４が実装された撮像素子ホルダ部材２３を回転させることなく、撮像素子１４をカメラレンズ１１の光軸Ｌに沿って前方又は後方に移動させて、従来のＡＦ機能によるフォーカス調整ではなく、メモリ１８から読み出されたフランジバック移動量に基づいて、撮像素子１４の撮像面を、昼間又は夜間撮影モードに対応したカメラレンズ１１の焦点位置に素早く合わせることができる。
【産業上の利用可能性】
【００４３】
本発明は、昼間又は夜間撮影モードの切り換え時の監視映像の欠落を解消することができる信頼性の高い監視用テレビカメラ装置とすることができるし、また、昼間であっても照度が不足する撮影条件では光学フィルタを夜間用のダミーガラスに切り換えるとともに、メモリに予め書き込まれた夜間対応のフランジバック移動量に基づいて撮像素子をフランジバック調整し、最適な焦点位置に設定し、最良の監視映像を得ることができる監視用テレビカメラ装置とすることができる。また、本発明は、被写界深度の浅いメガピクセルカメラによる監視用テレビカメラ装置に効果的に利用することができる。
【符号の説明】
【００４４】
１０  監視用テレビカメラ装置
１１  カメラレンズ
１２  光学フィルタ部（ＩＲカットフィルタ／ダミーガラス）
１３  駆動モータ
１３ａ  ギヤ
１４  撮像素子
１５  映像処理回路
１６  切換制御信号を出力するリモート制御部
１７  映像レベル判定手段
１８  メモリ（移動量記憶手段）
１９  切換モータ
２０  フランジバック調整機構
２１  フロントパネル
２２  スプリング
２３  撮像素子ホルダ部材
２３ａ  凸部
２３ｂ  溝状レール
２４  調整リング部材
２４ａ  ギア
２４ｂ  テーパ状の螺旋凸部
２５  フランジバック基板
【図１】
0005451333.tif 000002
【図２】
0005451333.tif 000003
【図３】
0005451333.tif 000004
【図４】
0005451333.tif 000005
【図５】
0005451333.tif 000006